【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
端末装置と、前記端末装置からデータの取得が可能な情報処理装置と、前記情報処理装置と通信が可能な測位サーバと、を含む測位システムであって、
前記端末装置は、
位置情報衛星からの位置関連信号を取得する位置関連信号取得部と、
前記取得した位置関連信号に基づいて、前記端末装置の位置を測位するための測位基礎情報を生成する測位基礎情報生成部と、
前記生成された測位基礎情報を記憶する端末記憶部と、を有し、
前記情報処理装置は、
前記端末装置から前記記憶された測位基礎情報を取得する端末情報取得部と、
前記取得した測位基礎情報に基づいた衛星情報を前記測位サーバから受信する通信部と、
前記取得した測位基礎情報及び前記受信した衛星情報に基づいて測位された結果を示す測位結果情報を生成する測位結果情報生成部と、
前記生成された測位結果情報を記憶する情報記憶部と、を有することを特徴とする測位システム。
【請求項２】
前記端末装置は、画像を撮像する撮像部を更に有し、
前記端末装置において、
前記撮像された画像を構成する画像データと前記生成された測位基礎情報とは、互いに対応付けられて前記端末記憶部に記憶され、
前記情報処理装置において、
前記端末情報取得部は、前記端末装置から前記記憶された画像データを更に取得し、
前記取得した画像データと前記生成された測位結果情報とは、互いに対応付けられて前記情報記憶部に記憶されることを特徴とする請求項１に記載の測位システム。
【請求項３】
前記端末装置において、前記撮像部による撮像と、前記位置関連信号取得部による前記位置関連信号の取得は、連動していることを特徴とする請求項２に記載の測位システム。
【請求項４】
前記端末装置は、当該端末装置の位置を検出するためのセンサ部を更に有し、
前記端末装置において、
前記センサ部により検出されたセンサ情報と前記生成された測位基礎情報とは、互いに対応付けられて前記端末記憶部に記憶され、
前記情報処理装置において、
前記端末情報取得部は、前記端末装置から前記記憶されたセンサ情報を更に取得し、
前記取得したセンサ情報により、前記測位結果情報が補正されることを特徴とする請求項１から３のいずれか一項に記載の測位システム。
【請求項５】
前記センサ部は気圧センサを有し、当該気圧センサは、前記センサ情報として前記端末装置の高度を測位するための気圧情報を検出することを特徴とする請求項４に記載の測位システム。
【請求項６】
端末装置と、前記端末装置からデータの取得が可能な情報処理装置と、前記情報処理装置と通信が可能な測位サーバと、を含む測位システムであって、
前記端末装置は、
位置情報衛星からの位置関連信号を取得する位置関連信号取得部と、
前記取得した位置関連信号に基づいて、前記端末装置の位置を測位するための測位基礎情報を生成する測位基礎情報生成部と、
前記生成された測位基礎情報を記憶する端末記憶部と、を有し、
前記情報処理装置は、
前記端末装置から前記記憶された測位基礎情報を取得する端末情報取得部と、
前記取得した測位基礎情報を前記測位サーバに送信し、前記測位サーバから、前記送信した測位基礎情報に基づいて測位された結果を示す測位結果情報を受信する通信部と、
前記受信した測位結果情報を記憶する情報記憶部と、を有することを特徴とする測位システム。
【請求項７】
端末装置と、前記端末装置と通信が可能な測位サーバと、を含む測位システムであって、
前記端末装置は、
位置情報衛星からの位置関連信号を取得する位置関連信号取得部と、
前記取得した位置関連信号に基づいて、前記端末装置の位置を測位するための測位基礎情報を生成する測位基礎情報生成部と、
前記生成された測位基礎情報を記憶する測位基礎情報記憶部と、
前記記憶された測位基礎情報に基づいた衛星情報を前記測位サーバから受信する通信部と、
前記記憶された測位基礎情報及び前記受信した衛星情報に基づいて測位された結果を示す測位結果情報を生成する測位結果情報生成部と、
前記生成された測位結果情報を記憶する測位結果情報記憶部と、を有することを特徴とする測位システム。
【請求項８】
端末装置と、前記端末装置と通信が可能な測位サーバと、を含む測位システムであって、
前記端末装置は、
位置情報衛星からの位置関連信号を取得する位置関連信号取得部と、
前記取得した位置関連信号に基づいて、前記端末装置の位置を測位するための測位基礎情報を生成する測位基礎情報生成部と、
前記生成された測位基礎情報を記憶する測位基礎情報記憶部と、
前記記憶された測位基礎情報を前記測位サーバに送信し、前記測位サーバから、前記送信した測位基礎情報に基づいて測位された結果を示す測位結果情報を受信する通信部と、
前記受信した測位結果情報を記憶する測位結果情報記憶部と、を有することを特徴とする測位システム。
【請求項９】
測位サーバと通信が可能な情報処理装置にデータを供給することが可能な端末装置であって、
位置情報衛星からの位置関連信号を取得する位置関連信号取得部と、
前記取得した位置関連信号に基づいて、前記端末装置の位置を測位するための測位基礎情報を生成する測位基礎情報生成部と、
前記生成された測位基礎情報を記憶する端末記憶部と、を有することを特徴とする端末装置。
【請求項１０】
位置情報衛星からの位置関連信号を取得して前記取得した位置関連信号に基づいて位置を測位するための測位基礎情報を生成して前記生成された測位基礎情報を記憶する端末装置から、
データの取得が可能であり、且つ測位サーバと通信が可能な情報処理装置であって、
前記端末装置から前記記憶された測位基礎情報を取得する端末情報取得部と、
前記取得した測位基礎情報に基づいた衛星情報を前記測位サーバから受信する通信部と、
前記取得した測位基礎情報及び前記受信した衛星情報に基づいて測位された結果を示す測位結果情報を生成する測位結果情報生成部と、
前記生成された測位結果情報を記憶する情報記憶部と、を有することを特徴とする情報処理装置。
【請求項１１】
端末装置と、前記端末装置からデータの取得が可能な情報処理装置と、前記情報処理装置と通信が可能な測位サーバと、を含む測位システムの制御方法であって、
前記端末装置は、
位置情報衛星からの位置関連信号を取得する位置関連信号取得工程と、
前記取得した位置関連信号に基づいて、前記端末装置の位置を測位するための測位基礎情報を生成する測位基礎情報生成工程と、
前記生成された測位基礎情報を記憶する端末記憶工程と、を有し、
前記情報処理装置は、
前記端末装置から前記記憶された測位基礎情報を取得する端末情報取得工程と、
前記取得した測位基礎情報に基づいた衛星情報を前記測位サーバから受信する通信工程と、
前記取得した測位基礎情報及び前記受信した衛星情報に基づいて測位された結果を示す測位結果情報を生成する測位結果情報生成工程と、
前記生成された測位結果情報を記憶する情報記憶工程と、を有することを特徴とする測位システムの制御方法。
【請求項１２】
端末装置と、前記端末装置からデータの取得が可能な情報処理装置と、前記情報処理装置と通信が可能な測位サーバと、を含む測位システムの制御プログラムであって、
前記端末装置は、
位置情報衛星からの位置関連信号を取得する位置関連信号取得機能と、
前記取得した位置関連信号に基づいて、前記端末装置の位置を測位するための測位基礎情報を生成する測位基礎情報生成機能と、
前記生成された測位基礎情報を記憶する端末記憶機能と、を有し、
前記情報処理装置は、
前記端末装置から前記記憶された測位基礎情報を取得する端末情報取得機能と、
前記取得した測位基礎情報に基づいた衛星情報を前記測位サーバから受信する通信機能と、
前記取得した測位基礎情報及び前記受信した衛星情報に基づいて測位された結果を示す測位結果情報を生成する測位結果情報生成機能と、
前記生成された測位結果情報を記憶する情報記憶機能と、を有することを特徴とする測位システムの制御プログラム。